(57)【要約】【課題】居室内に事後的に設置されるシャワールームユニットにおいて、洋式便器、ベッドの併設を可能とし、高齢者や要介護者等に快適な生活を提供する。【解決手段】本発明に係るシャワールームユニットは、ルームユニットと、ルームユニットに隣接して配置され、内部に仕切内空間が形成された仕切ユニットを有し、ルームユニットは、シャワー空間に出入りするための扉を有し、仕切ユニットは、メイン部と、突出部を有し、メイン部は、ルームユニットに隣接し、ルームユニットの側面及び扉の外側にわたって延在して配置され、突出部は、メイン部からルームユニットと反対側に突出し、内部にメイン部と共有する仕切内空間が形成されるとともに、突出部に隣接して配置される洋式便器を接続するための開口を有し、仕切内空間に配置され、洋式便器から排出される汚水を回収する圧送式ポンプを有する。【選択図】図３
2019208594.tif 000002
【特許請求の範囲】
【請求項１】
居室内に設置可能なシャワールームユニットであって、
内部にシャワー空間が形成されたルームユニットと、ルームユニットに隣接して配置され、内部に仕切内空間が形成された仕切ユニットを有し、
ルームユニットは、シャワー空間に出入りするための扉を有し、
仕切ユニットは、メイン部と、突出部を有し、
メイン部は、ルームユニットに隣接し、ルームユニットの側面及び扉の外側にわたって延在して配置され、
突出部は、メイン部からルームユニットと反対側に突出し、内部にメイン部と共有する仕切内空間が形成されるとともに、突出部に隣接して配置される洋式便器を接続するための開口を有し、
仕切内空間に配置され、洋式便器から排出される汚水を回収する圧送式ポンプを有する
シャワールームユニット。
【請求項２】
仕切ユニットは、もう１つの突出部を有し、
２つの突出部の間に形成される空間は、ベッドのベッドヘッドが設置可能な幅の空間である
請求項１に記載のシャワールームユニット。
【請求項３】
突出部において、設置されるベッドに対向する面には、居室内の家電製品を制御可能な操作部が配置されている
請求項２に記載のシャワールームユニット。
【請求項４】
洋式便器が隣接して配置される突出部には、吸気孔が設けられている
請求項１から請求項３の何れか１項に記載のシャワールームユニット。
【請求項５】
圧送式ポンプは、シャワー空間で発生した汚水を回収する
請求項１から請求項４の何れか１項に記載のシャワールームユニット。
【請求項６】
仕切内空間には、ルームユニットと反対側からアクセス可能な収納部が設けられている
請求項１から請求項５の何れか１項に記載のシャワールームユニット。
【請求項７】
洋式便器が隣接して配置される突出部の上部には、手洗い流し、及び、水栓が設けられている
請求項１から請求項６の何れか１項に記載のシャワールームユニット。
【発明の詳細な説明】
【技術分野】
【０００１】
本発明は、内部にシャワー空間が形成されるシャワールームユニットに関する。特に、居室内に事後的に設置可能なシャワールームユニットに関する。
【背景技術】
【０００２】
現在、高齢化社会が進むにあたって、集合住宅型の住居施設、いわゆる老人ホームの数は増加傾向にあり、高齢者にとって使い易い住居施設が求められている。このような住居施設では、利用者は、与えられた個室を主な居室として使用することになる。各個室にはトイレが設けられているが、入浴は住居施設に設けられている共同浴場を使用することが一般的である。
【先行技術文献】
【特許文献】
【０００３】
【特許文献１】実開平５−１３５９４号公報
【発明の概要】
【発明が解決しようとする課題】
【０００４】
このような老人ホーム、あるいは、介護施設等、集合住宅型の住居施設に居住する利用者は、入浴の際、共同浴場まで行かなければならないことが通常であり、居住する個室では入浴することはできなかった。体の自由度が低下した老人、要介護者等にとって共同浴場まで行くことは、介助を要するなど困難な行為であるとともに、施設によって入浴時間も決められていることが多い。一方、入浴、あるいは、シャワーを浴びる行為は、老人や要介護者にとっては重要なリフレッシュ行為である。そのため、出願人は、居住する個室内において気軽にシャワーを浴びることのできるシャワールームユニットの設置を提案している。
【０００５】
出願人が提案する居室内に設置されるシャワールームユニットは、施設建築時に設けられるものではなく、建設された施設に事後的に設置されることを前提としている。ここで特許文献１には、下水道等の排水施設に排水可能な簡易シャワーハウスが開示されている。この簡易シャワーハウスでは、その名称が示すように簡易的なものであって、居室空間に永続的に配置されるものではない。したがって、高齢者や要介護者等の使用については何ら考慮されていなし。
【０００６】
高齢者や要介護者が快適な生活を行うためには、シャワー、入浴等を行うことで、身体の清潔さを保つとともに、排泄、睡眠を容易に可能とすることが求められる。本発明は、居室内に事後的に設置されるシャワールームユニットにおいて、シャワーを浴びることのみならず、排泄、睡眠に対するアクセスを容易に可能とすることを１つの目的としている。
【課題を解決するための手段】
【０００７】
本発明に係るシャワールームユニットは、
居室内に設置可能なシャワールームユニットであって、
内部にシャワー空間が形成されたルームユニットと、ルームユニットに隣接して配置され、内部に仕切内空間が形成された仕切ユニットを有し、
ルームユニットは、シャワー空間に出入りするための扉を有し、
仕切ユニットは、メイン部と、突出部を有し、
メイン部は、ルームユニットに隣接し、ルームユニットの側面及び扉の外側にわたって延在して配置され、
突出部は、メイン部からルームユニットと反対側に突出し、内部にメイン部と共有する仕切内空間が形成されるとともに、突出部に隣接して配置される洋式便器を接続するための開口を有し、
仕切内空間に配置され、洋式便器から排出される汚水を回収する圧送式ポンプを有する。
【０００８】
さらに本発明に係るシャワールームユニットにおいて、
仕切ユニットは、もう１つの突出部を有し、
２つの突出部の間に形成される空間は、ベッドのベッドヘッドが設置可能な幅の空間である。
【０００９】
さらに本発明に係るシャワールームユニットにおいて、
突出部において、設置されるベッドに対向する面には、居室内の家電製品を制御可能な操作部が配置されている。
【００１０】
さらに本発明に係るシャワールームユニットにおいて、
洋式便器が隣接して配置される突出部には、吸気孔が設けられている。
【００１１】
さらに本発明に係るシャワールームユニットにおいて、
圧送式ポンプは、シャワー空間で発生した汚水を回収する。
【００１２】
さらに本発明に係るシャワールームユニットにおいて、
仕切内空間には、ルームユニットと反対側からアクセス可能な収納部が設けられている。
【００１３】
さらに本発明に係るシャワールームユニットにおいて、
洋式便器が隣接して配置される突出部の上部には、手洗い流し、及び、水栓が設けられている。
【発明の効果】
【００１４】
本発明に係るシャワールームユニットによれば、居室内に事後的に設置されるシャワールームユニットにおいて、洋式便器、ベッドの併設を可能とし、高齢者や要介護者等に快適な生活を提供することが可能となる。
【図面の簡単な説明】
【００１５】
【図１】シャワールームユニットを設置する前の居室空間を示す上面図
【図２】シャワールームユニットを設置した後の居室空間を示す上面図
【図３】シャワールームユニットを設置した後の居室空間の様子を示す斜視図
【図４】仕切ユニットの内部を説明するための透視図
【図５】仕切ユニットの内部を説明するための透視図
【図６】仕切ユニットの仕切内空間を説明するための断面図
【発明を実施するための形態】
【００１６】
図１は、シャワールームユニット設置前の居室空間Ａを示す上面図である。本実施形態のシャワールームユニットの設置対象となる居室空間Ａは、アパート、マンションあるいは高齢者用集合住宅等、シャワー設備あるいは入浴設備を有していない居室空間Ａである。本実施形態のシャワールームユニットは、このような既存の居室空間Ａに事後的に設置されるものである。図１に示す居室空間Ａには、既存洋式便器１１、洗面台流し１２が予め設置されている。既存洋式便器１１は、既存外壁１０で区切られた空間内に配置されており、既存扉１０ａを使用して同空間に出入りすることが可能となっている。既存洋式便器１１の背後に位置する空間（パイプスペース）には、既存洋式便器１１の汚水を流すための汚水管１４と、洗面台流し１２等の雑排水を流すための雑俳管１３が配置されている。また、左側壁には、屋外やベランダに連通する外部連通扉１５が設けられている。
【００１７】
本実施形態のシャワールームユニットは、高齢者、要介護者等が居室空間Ａにおいて快適にシャワーを浴びることのできるシャワー空間を提供することを目的としている。そのため、本実施形態のシャワールームユニットは、居室空間Ａの床面（居室床面）上に容易に設置可能であるとともに、居室空間Ａが賃貸物件であっても容易に撤去可能とし、原状回復を行うことができるものである。
【００１８】
図２は、本実施形態のシャワールームユニット２を設置した後の居室空間Ａを示す上面図である。図２に示されるようにシャワールームユニット２は、ルームユニット３と、ルームユニット３に隣接して設けられた仕切ユニット４を有して構成されている。ルームユニット３は、３面を内壁３２ａ、３２ｂ、３２ｃで囲い、残る１面が出入り用の扉３３で囲うことで、内部にシャワー空間Ｂが形成されている。なお、本実施形態では、内壁３２ｂには、外部連通扉１５に対向する位置に出入り口３２ｄが設けられており、利用者はシャワー空間Ｂから、出入り口３２ｄ、外部連通扉１５を介して屋外に出ることが可能となっている。なお、出入り口３２ｄは、単なる開口としてもよいし、扉を設けることでシャワー空間Ｂの機密性を高めることとしてもよい。このように、シャワー空間Ｂは、外部連通扉１５と出入り口３２ｄを介して屋外と連通することができるため、利用後に外部連通扉１５と出入り口３２ｄを開放し、シャワー空間Ｂ内の湿気を容易に取り除くことが可能となっている。
【００１９】
シャワー空間Ｂの底面には防水パン３１が設けられている。防水パン３１の上には、図示しないスノコが設置されている。シャワー空間Ｂを形成する扉３３の外部には、スロープ形成部３４が設けられている。このスロープ形成部３４は、居室空間Ａとシャワー空間Ｂ内を緩やかなスロープ（斜面）で接続することが可能であり、利用者が車椅子でも容易にシャワー空間Ｂ内に出入りすることを可能としている。本実施形態のシャワー空間Ｂは、車椅子が入るに十分な空間となっており、利用者は、車椅子のままシャワーを浴びることが可能である。
【００２０】
シャワー空間Ｂ内、内壁３２ｃにはシャワー設備３５が設けられている。シャワー設備３５は、温度調整部、シャワーノズル等を有し、利用者にシャワー水（温水）を提供するための設備である。シャワー設備３５には、図シャワー供給設備が接続されており、シャワー設備３５に温水を供給することが可能となっている。本実施形態のシャワー供給設備は、温水器３７と貯水タンク３６を備えて構成される。本実施形態のシャワー供給設備は、洗面台流し１２に隣接して配置されており、温水器３７上に、架台（図示せず）を介して貯水タンク３６が配置されている。貯水タンク３６には、給水ポンプ（図示せず）が設けられており、高い水圧で水を供給することが可能となっている。シャワー設備３５は、温水器３７から供給される温水と、貯水タンク３６から供給される水を混合してシャワー水を形成する。
【００２１】
温水器３７のみでもシャワー設備３５にシャワー水を提供することは可能であるが、本実施形態では、温水器３７と貯水タンク３６を併用することで、シャワー設備３５から供給されるシャワー水の水圧を高くすることを可能としている。特に、貯水タンク３６が高い位置に設置されているため、シャワー設備３５における水圧を高くすることが可能である。貯水タンク３６の設置方法は、架台上に設置する形態に限られるものではなく、温水器３７上に直接設置する等、各種形態を採用することが可能である。また、温水器３７と貯水タンク３６を併用することは、シャワー水の供給量を増加させる点においても効果的である。
【００２２】
シャワー空間Ｂの外部であって、扉３３に隣接する位置にはスロープ形成部２６が設けられている。スロープ形成部２６は、スロープ（斜面）を形成する形態（スロープ形態）と、居室空間Ａの床面と平行な形態（ステップ形態）に切り替えることが可能となっている。例えば、車椅子を使用してシャワーを浴びる際には、スロープ形成部２６をスロープ形態で使用し、車椅子を使用していない利用者の場合、ステップ形態で使用することで、狭小の居室空間Ａであっても、スペースを有効に使用して、適切な形態で使用することが可能となっている。
【００２３】
本実施形態のシャワールームユニット２は、居室空間Ａに事後的に設置されるため、居室空間Ａとシャワー空間Ｂの床面間に段差を生じさせることになる。スロープ形成部２６は、居室空間Ａとシャワー空間Ｂにおける床面間の段差を抑制し、シャワールームユニット２への出入りを容易にする段差抑制手段として機能する。段差抑制手段としては、このようにステップ形態とスロープ形態を切り替えることができるタイプの他、切り替え機能を有さず、ステップ形態のみで使用する形態、あるいは、スロープ形態のみで使用するタイプを採用することとしてもよい。
【００２４】
本実施形態のシャワールームユニット２は、前述したルームユニット３に隣接して仕切ユニット４が設けられている。高齢者、要介護者等は、若者や健常者と同様に居住空間を自由に移動することが難しくなることが考えられる。生活上、睡眠、排泄、入浴を適切に行うことができれば、その生活は快適になることとなる。本実施形態のシャワールームユニット２は、入浴（シャワー）を行うことを可能とするルームユニット３に隣接して、睡眠を行うためのベッド５１、排泄を行うための追加洋式便器５２を配置し、高齢者、要介護者等の生活を快適なものとすることを目的としている。
【００２５】
居室空間Ａにルームユニット３を設置し、その側にベッド５１、追加洋式便器５２を設置することとしてもよいが、シャワー利用時に着替え等を行う扉３３付近は露呈することになるため、来客時等、居室空間Ａに他人が居る場合には、シャワーの利用が困難となる。また、本実施形態では、後述する圧送式ポンプ４３を使用して、追加洋式便器５２からの汚水、及び、シャワー空間Ｂで生じる汚水を汚水管１４に送出することになるが、圧送式ポンプ４３が外部に露出することは、見た目上、あまりよくはない。
【００２６】
そのため、本実施形態のシャワールームユニット２は、ルームユニット３に仕切ユニット４を隣接して設けたことを特徴としている。図２に示すように、仕切ユニット４は、ルームユニット３の内壁３２ａの１側面を覆うと共に、扉３３の外側にまでわたって延在させている。このような配置とすることで、シャワーの利用者をその利用前後において、居室空間Ａ側から目に触れにくくしている。なお、図１に示されるように仕切ユニット４の右端は、スロープ形成部３４の端部よりも右側に位置することが好ましい。このような構成により、スロープ形成部３４の端部での躓きなどを抑制することも可能となる。また、仕切ユニット４の内部には、仕切内空間Ｃが形成されており、圧送式ポンプ４３等、各種設備、及び、その配管を配置可能とし、さらに収納空間として使用することも可能となっている。
【００２７】
一方、仕切ユニット４について、ルームユニット３と反対側には、追加洋式便器５２とベッド５１が配置される。追加洋式便器５２は、仕切ユニット４に隣接して配置することが可能となっている。仕切ユニット４は、上から見たときに長方形の形状を有するメイン部４０と、その左右に配置された第１突出部４１、第２突出部４２を有して形成されている。第１突出部４１と第２突出部４２の間の空間は、ベッドヘッド５１ａ（ベッドボードともいう）が収まる大きさとしている。利用者は、ベッド５１を使用する際、この第１突出部４１と第２突出部４２の間に頭部を位置させ、第１突出部４１と第２突出部４２で囲まれた空間内で安心して睡眠を取ることが可能となっている。
【００２８】
また、第１突出部４１、第２突出部４２は、仕切内空間Ｃを適切に拡大する点においても有利である。メイン部４０の内部空間を大きくすることで仕切内空間Ｃの拡大を図ることも可能であるが、その場合、仕切ユニット４が居室空間Ａを不必要に占拠するため好ましくない。本実施形態のように、メイン部４０と、その左右に位置する第１突出部４１と第２突出部４２を設けることで、第１突出部４１、第２突出部４２の内部空間をメイン部４０の仕切内空間Ｃと共有させ、仕切内空間Ｃの拡大を図ることが可能となっている。したがって、不必要に居室空間Ａを圧迫することがない。なお、追加洋式便器５２が設置される側の第１突出部４１は、内部に圧送式ポンプ４３を設けるために必要となるが、第２突出部４２は、必ずしも設ける必要はない。また、第１突出部４１と第２突出部４２を入れ替える、すなわち、図２において、ベッド５１に対して右側の位置に追加洋式便器５２を設けることとしてもよい。
【００２９】
図３は、シャワールームユニット２を設置した後の居室空間Ａの様子を示す斜視図であり、図２の上面図に示す方向Ｄからシャワールームユニット２を眺めたときの斜視図である。ここでは、図３を参照しつつ、特に仕切ユニット４の外観について説明を行う。図２で説明したように、仕切ユニット４は、メイン部４０と、第１突出部４１、第２突出部４２を有して形成されている。メイン部４０、第１突出部４１、第２突出部４２は内部で繋がっており、仕切内空間Ｃを形成している。第１突出部４１と第２突出部４２の間は、ベッドヘッド５１ａの幅よりも僅かに広い幅の空間が設けられており、ベッド５１は、ベッドヘッド５１ａを、第１突出部４１と第２突出部４２の間に位置させて配置することが可能である。また、第１突出部４１と第２突出部４２の高さは、ベッド５１にマットレス５１ｂを設置した高さよりも高く、ベッド５１を使用する利用者から上面に手が届く程度の高さとなっている。
【００３０】
メイン部４０において、第１突出部４１、第２突出部４２の間であって、ベッドヘッド５１ａよりも僅かに高い位置には４つの引き出し４０ｂが設けられている。また、第２突出部４２の上には、コンセントボックス４０ａが設けられている。このように、引き出し４０ｂ、コンセントボックス４０ａを配置することで、メイン部４０内部の仕切内空間Ｃを有効に利用し、主にベッド５１で生活を行う利用者に対し、手の届く範囲で収納空間、電源を提供することが可能となっている。
【００３１】
第１突出部４１には、それに隣接して追加洋式便器５２が配置されている。図３から分かるように、追加洋式便器５２は、ベッド５１の側に位置することになるため、利用者はベッド５１から略移動することなく、追加洋式便器５２で用を足すことが可能となっている。
【００３２】
第１突出部４１の上部には、手洗い流し４１ａ、及び、水栓４１ｂが配置されている。水栓４１ｂに対しては、貯水タンク３６から供給される水、あるいは、温水器３７から供給される温水の少なくとも一方を供給することが可能となっている。このように、本実施形態では、後付けの追加洋式便器５２であっても、通常の洋式便器と同様に、手洗い流し４１ａ、水栓４１ｂを使用することが可能となっている。また、手洗い流し４１ａ、水栓４１ｂは、ベッド５１に隣接して配置されるため、追加洋式便器５２で用を足したときだけでなく、利用者がベッド５１から略移動することなく、容易に使用することも可能となっている。
【００３３】
このように本実施形態では、ベッド５１に隣接して追加洋式便器５２が配置されているが、このような形態においては、追加洋式便器５２で用を足した際の臭いの問題がある。特に、追加洋式便器５２の近くにベッド５１を使用する利用者の頭部が位置することになるため、臭いの影響は大きくなることが考えられる。また、追加洋式便器５２は、居室空間Ａ内に配置されるため、居室空間Ａ内の臭いとしても影響がある。そのため、本実施形態では、第１突出部４１の追加洋式便器５２に向かう面に２つの吸気孔４１ｃを設けている。吸気孔４１ｃは、追加洋式便器５２の左右上方に配置され、追加洋式便器５２で発生する臭いを効率的に排気することが可能となっている。また、本実施形態では、吸気孔４１ｃに吸気ファン４１ｄを設けたことで、追加洋式便器５２の周囲の空気を強制的に排気することを可能としている。
【００３４】
吸気ファン４１ｄの駆動は、常時駆動としてもよいが、スイッチ等の操作に基づいて駆動することも考えられる。あるいは、センサを使用し、追加洋式便器５２を使用していると判断した場合に駆動することとしてもよい。追加洋式便器５２の使用を検出するセンサとしては、例えば、追加洋式便器５２に着座したことを検出するセンサ、追加洋式便器５２の前に立っていることを検出するセンサ、追加洋式便器５２の蓋が開いていることを検出するセンサ、あるいは、追加洋式便器５２の排水を行ったことを検出するセンサが考えられる。あるいは、これらセンサを複数組み合わせることとしてもよい。
【００３５】
第２突出部４２は、図３から分かるように、ベッド５１の左側に位置しており、本実施形態では、２つの引き出し４２ｂ、収納テーブル４２ｃ、スイッチボックス４２ａが設けられている。引き出し４２ｂは、メイン部４０に設けられた引き出し４０ｂと同様、ベッド５１で生活する利用者に対し、手の届く範囲で収納空間を提供することが可能となっている。また、収納テーブル４２ｃは、使用しない場合、第２突出部４２内にその大部分を収納しておくことが可能である。利用者は、物を置く必要がある場合、収納テーブル４２ｃを引き出して使用することが可能となる。
【００３６】
スイッチボックス４２ａは、照明、エアコン、テレビ、カーテンの開閉等、各種家電製品に対する制御する操作部が設けられている。スイッチボックス４２ａは、第２突出部４２において、ベッド５１に向き合う面に設けられており、ベッド５１に横たわる利用者の頭部に近い位置に位置することになる。したがって、利用者は、ベッド５１に横たわった状態で、スイッチボックス４２ａを視認しつつ、容易に操作を行うことが可能となっている。
【００３７】
図４は、仕切ユニット４の内部を説明するための透視図である。ここでは、主に、第１突出部４１周辺の配管について説明を行う。メイン部４０と第１突出部４１の内部で形成される仕切内空間Ｃには、圧送式ポンプ４３が配置されている。メイン部４０は、居室空間Ａを圧迫しないように薄型化を図ることが好ましい。しかしながら、メイン部４０内の仕切内空間Ｃに圧送式ポンプ４３を収容するためには、メイン部４０は厚くなってしまう。そのため、本実施形態では、メイン部４０と第１突出部４１内で形成される仕切内空間Ｃに圧送式ポンプ４３を配置することで、メイン部４０の薄型化が図られている。
【００３８】
圧送式ポンプ４３は、吸引口に汚水が流れ込んだことを検出し、内部のモーターを駆動することで汚水を排出口から強制的に排出する。本実施形態の圧送式ポンプ４３は、固形物、あるいは、髪の毛等を粉砕する粉砕機能を備えており、排水管の詰まりを抑制することが可能となっている。追加洋式便器５２は、接続管４４を介して圧送式ポンプ４３の吸引口に接続されており、汚水を排水管５３ｃに強制排出する。排水管５３ｃは、図１で説明した汚水管１４に接続されている。
【００３９】
本実施形態では、追加洋式便器５２、水栓４１ｂと、貯水タンク３６を給水管３６ａで接続している。追加洋式便器５２、水栓４１ｂに対しては、貯水タンク３６からの水が供給される。なお、水栓４１ｂに対しては、貯水タンク３６からの水と、温水器３７から温水を提供することで、温水を利用可能としてもよい。
【００４０】
前述したように、追加洋式便器５２で発生した臭いを抑制するため、第１突出部４１には、２つの吸気孔４１ｃが設けられている。２つの吸気孔４１ｃで吸気した空気は、排気カバー４１ｅに収容され、排気ダクト４１ｆを介して屋外に排出される。
【００４１】
図５は、仕切ユニット４の内部を説明するための透視図であって、図２の上面図に示す方向Ｅからシャワールームユニット２を眺めたときの透視図である。図４で説明したように、圧送式ポンプ４３は、排水管５１ｃに接続されており、追加洋式便器５２で発生した汚水を汚水管１４に排出することが可能となっている。また、本実施形態の圧送式ポンプ４３は、追加洋式便器５２で発生した汚水のみならず、シャワー空間Ｂで発生し、防水パン３１に流れ込んだ汚水も扱うこととしている。そのため、圧送式ポンプ４３には、シャワー空間Ｂを形成するルームユニット３に向かう側にドレンパイプ４５が配置され、防水パン３１からの汚水が流れ込むことが可能となっている。
【００４２】
このように、本実施形態のシャワールームユニット２は、シャワー空間Ｂを形成するルームユニット３に、追加洋式便器５２が接続される仕切ユニット４を隣接して配置したことで、１の圧送式ポンプ４３で、シャワー空間Ｂで発生する汚水、及び、追加洋式便器５２で発生する汚水を排出することが可能となっている。なお、シャワー空間Ｂで発生する汚水、及び、追加洋式便器５２は、それぞれ異なる圧送式ポンプ４３で排出することとしてもよい。その場合、シャワー空間Ｂで発生する汚水を排出するための圧送式ポンプ４３が、適宜位置に追加して配置されることが考えられる。
【００４３】
図５に示されるように、本実施形態では、給水管３６ａを使用して、貯水タンク３６から水栓４１ｂ、及び、追加洋式便器５２に水が供給される。図示されていないが、給水管３６ａは、分岐した後、水栓４１ｂ、追加洋式便器５２に接続されている。また、第１突出部４１に設けられた吸気孔４１ｃの背面には、排気カバー４１ｅが配置されている。排気カバー４１ｅには、給気した空気を外部に導くための排気ダクト４１ｆが接続されている。なお、排気カバー４１ｅの形状は、それに隣り合う排水管５１ｃを避けるような形状となっている。
【００４４】
図５に示されるように、仕切ユニット４の内部は、各種配管とともに、引き出し４０ｂ、４２ｂの収容空間としても機能しており、仕切ユニット４に隣接配置されるベッド５１で生活する利用者に対して、たくさんの収納空間を提供することが可能となっている。
【００４５】
図６は、仕切ユニット４の仕切内空間Ｃを説明するための図であって、第１突出部４１付近における断面図である。本実施形態では、狭い仕切内空間Ｃに圧送式ポンプ４３を配置するため、第１突出部４１を設けたことを１つの特徴としている。これにより、メイン部４０の薄型化を図り、結果として居室空間Ａの圧迫を抑制することが可能となっている。図６に示されるように、圧送式ポンプ４３は、メイン部４０と第１突出部４１で形成される仕切内空間Ｃに配置されている。なお、圧送式ポンプ４３は、第１突出部４１の背面に位置する仕切内空間Ｃに収まればよく、メイン部４０内のみに収まる、あるいは、第１突出部４１内にのみ収まるようにしてもよい。
【００４６】
圧送式ポンプ４３は、２つの吸引口（第１吸引口４３ａ、第２吸引口４３ｂ）と、１つの排出口４３ｃを有している。第１吸引口４３ａは、追加洋式便器５２に接続され、第２吸引口４３ｂは、防水パン３１に接続されている。また、排出口４３ｃは、排水管５１ｃを介して汚水管１４に接続されている。追加洋式便器５２で汚水を流した場合、圧送式ポンプ４３は、第１吸引口４３ａから汚水を吸引し、粉砕した後、排出口４３ｃに汚水を送り出す。本実施形態では、圧送式ポンプ４３を居室床面Ｆに設置した状態において、圧送式ポンプ４３の第１吸引口４３ａを、追加洋式便器５２の排出口５２ａと略同じ高さとすることとしている。このような構成により、汚水ができるだけ接続管４４ａ等に残らない効率的な回収、並びに、居室床面Ｆ上に追加洋式便器５２を設置することを可能としている。また、圧送式ポンプ４３を居室床面Ｆに設置することで、シャワー空間Ｂで発生する汚水を回収する第２吸引口４３ｂの高さを低く抑え、シャワー空間Ｂと居室床面Ｆの段差を少なくすることも可能となる。
【００４７】
第１吸引口４３ａは、接続管４４を介して、追加洋式便器５２の排出口５２ａに接続されている。ここで、第１突出部４１には、接続管４４を通すための開口４１ｇが設けられている。また、第２吸引口４３ｂには、防水パン３１のドレンパイプ３１ｄが接続されている。ここで防水パン３１について説明する。防水パン３１は、制振材３２を介して、居室床面Ｆ上に配置されている。防水パン３１の壁面３１ｂには、ドレンパイプ３１ｄが溶接接続されている。防水パン３１の底面３１ａは、ドレンパイプ３１ｄが接続される排水孔３１ｆの位置に汚水を集めるように傾斜している。したがって、シャワー空間Ｂで発生した汚水は、ドレンパイプ３１ｄから排出され、圧送式ポンプ４３の第２吸引口４３ｂで収集される。
【００４８】
ところで、本実施形態のシャワールームユニット２は、高齢者、あるいは車椅子による出入りを容易に行うことを目的としている。そのため、シャワー空間Ｂの床面と、居室床面Ｆと高低差はできる限り少ないことが好ましい。洗濯機や浴室等、一般家屋内の排水孔は、底面位置あるいは床面より下がった位置に設けられることが通常である。これは、建築時に排水孔を設けることが前提とされているためである。本実施形態のシャワールームユニット２は、建築後の居室空間Ａに事後的に設置されるものである。そのためシャワールームユニット２は、居室床面Ｆより高い位置に設置する必要があり、高低差を抑えることは困難であった。
【００４９】
そのため、本実施形態では、圧送式ポンプ４３を使用するとともに、防水パン３１の側面となる壁面３１ｂに設けられた排水孔３１ｆからシャワー水を排水することとしている。その際、防水パン３１の排水孔３１ｆと、圧送式ポンプ４３の第２吸引口４３ｂを略同じ高さとすることで高低差の抑制を図るとともに、シャワー水を効率的に回収することを可能としている。なお、圧送式ポンプ４３は、居室床面Ｆ上に設置された状態である。このような構成とすることで、事後的に設置されるシャワールームユニット２であっても、防水パン３１の高さ、すなわち、シャワー空間Ｂの床面と、居室床面Ｆの高低差が抑制され、高齢者であっても段差の少ないシャワー空間Ｂに容易に出入りすることが可能となる。あるいは、車椅子利用者であっても、短い距離であっても勾配の小さいスロープ（本実施形態では、スロープ形成部３４で形成可能となっている）でシャワー空間Ｂ内に利用者を導くことが可能となっている。
【００５０】
さらに、本実施形態の防水パン３１は、防水パン３１の底面３１ａにできるだけ汚水が残らないように、防水パン３１とドレンパイプ３１ｄの接続にも工夫が施されている。防水パン３１の底面３１ａに汚水が残った場合、カビや臭い発生の原因となることが考えられる。そのため、底面３１ａは、汚水が無く、できるだけ乾燥した状態を保つことが好ましい。しかしながら、シャワールームユニット２は、居室空間Ａに後付けされるユニットであるため、防水パン３１の高さを低く保った上で、汚水の排出を効果的に行うことは困難である。
【００５１】
本実施形態では、防水パン３１にドレンパイプ３１ｄを接続する際、底面３１ａと同じ高さ、あるいは、それよりも低い位置でドレンパイプ３１ｄの内面が位置するように溶接を行っている。そのため、防水パン３１とドレンパイプ３１ｄの溶接位置は、ドレンパイプ３１ｄの上側と下端で異なっている。図６に示されるようにドレンパイプ３１ｄの上側では、主にドレンパイプ３１ｄ側に溶接部３１ｅが設けられるように溶接される。一方、ドレンパイプ３１ｄの下端では、防水パン３１側に溶接部３１ｅが設けられるように溶接される。このような形態とすることで、汚水を効果的にドレンパイプ３１ｄ、第２吸引口４３ｂへと導き、底面３１ａに汚水が残ることを抑制することが可能となる。
【００５２】
本実施形態の防水パンの壁面３１ｂの上部には鍔部３１ｃが設けられている。鍔部３１ｃを設けることで、内壁３２ａの内側（仕切内空間Ｃ側）に生じた結露で生じる水滴は鍔部３１ｃで回収される。また、内壁３２ａと防水パン３１の壁面３１ｂの間には若干の隙間が設けられており、鍔部３１ｃで回収された水滴は、防水パン３１に回収されることになる。
【００５３】
以上説明したように本実施形態では、圧送式ポンプ４３を使用して、シャワールームユニット２で発生するシャワー水の回収、及び、追加洋式便器５２で発生する汚水の回収を行うこととしている。本実施形態のシャワールームユニット２は、シャワールームユニット２に近接して追加洋式便器５２を配置可能であるため、身の回りの衛生（シャワーや排泄）が重要視される高齢者、要介護者には好適である。
【００５４】
なお、本発明はこれらの実施形態のみに限られるものではなく、それぞれの実施形態の構成を適宜組み合わせて構成した実施形態も本発明の範疇となるものである。
【符号の説明】
【００５５】
２：シャワールームユニット             ４０ｂ：引き出し
３：ルームユニット                     ４１：第１突出部
４：仕切ユニット                       ４１ａ：流し
１０：既存外壁                         ４１ｂ：水栓
１０ａ：既存扉                         ４１ｃ：吸気孔
１１：既存洋式便器                     ４１ｄ：吸気ファン
１２：洗面台流し                       ４１ｅ：排気カバー
１３：雑俳管                           ４１ｆ：排気ダクト
１４：汚水管                           ４１ｇ：開口
１５：外部連通扉                       ４２：第２突出部
２６：スロープ形成部                   ４２ａ：スイッチボックス
３１：防水パン                         ４２ｂ：引き出し
３１ａ：底面                           ４２ｃ：収納テーブル
３１ｂ：壁面                           ４３：圧送式ポンプ
３１ｃ：鍔部                           ４３ａ：第１吸引口
３１ｄ：ドレンパイプ                   ４３ｂ：第２吸引口
３１ｅ：溶接部                         ４３ｃ：排出口
３１ｆ：排水孔                         ４４：接続管
３２：制振材                           ４４ａ：接続管
３２ａ：内壁                           ４５：ドレンパイプ
３２ｂ：内壁                           ５１：ベッド
３２ｃ：内壁                           ５１ａ：ベッドヘッド
３２ｄ：出入り口                       ５１ｂ：マットレス
３３：扉                               ５１ｃ：排水管
３４：スロープ形成部                   ５２：追加洋式便器
３５：シャワー設備                     ５２ａ：排出口
３６：貯水タンク                       ５３ｃ：排水管
３６ａ：給水管                         Ａ：居室空間
３７：温水器                           Ｂ：シャワー空間
４０：メイン部                         Ｃ：仕切内空間
４０ａ：コンセントボックス             Ｆ：居室床面
【図１】
2019208594.tif 000003
【図２】
2019208594.tif 000004
【図３】
2019208594.tif 000005
【図４】
2019208594.tif 000006
【図５】
2019208594.tif 000007
【図６】
2019208594.tif 000008